(57)【要約】【課題】表示部を有するカーオーディオ装置において車両の走行状態に連動した娯楽性に富んだ画面を表示する。【解決手段】マイコン２は加速度センサ１から加速度検出信号が入力された場合に、サンプリング周波数ｆｓを高くして、そのサンプリング周波数ｆｓでオーディオ出力信号の各周波数帯のレベルをサンプリングし、サンプリングした各周波数帯のレベルを表示用ドライバ３に送ることにより、通常より短い周期毎に各周波数帯のレベルを切り替えて表示装置４に表示させる（ステップＳ３）。【選択図】　　　　図３
2004066862.tif 000002
【特許請求の範囲】
【請求項１】
オーディオ出力状態を切り替えながら表示する表示手段と、
車両の加速度を検出する加速度検出手段と、
前記加速度検出手段により検出された加速度に応じて前記表示手段の画面の切り替え速度を変更する制御手段とを、
有するカーオーディオ装置。
【請求項２】
前記制御手段は、前記加速度検出手段により検出された加速度が所定値以上の場合に、所定値以上でない場合よりオーディオ出力信号の各周波数帯のレベルを高いサンプリング周波数でサンプリングして各周波数帯の音量レベルを短い周期で切り替えて表示するよう構成されている請求項１に記載のカーオーディオ装置。
【請求項３】
前記制御手段は、各周波数帯の音量レベルを短い周期で切り替えて表示する際に、オーディオ出力レベルを設定レベルより大きくするよう構成されている請求項２に記載のカーオーディオ装置。
【請求項４】
前記制御手段は、各周波数帯の音量レベルを短い周期で切り替えて表示する際に、高周波帯域のオーディオ出力レベルのみを設定レベルより大きくするよう構成されている請求項２に記載のカーオーディオ装置。
【発明の詳細な説明】
【０００１】
【発明の属する技術分野】
本発明は、オーディオ出力状態を切り替えながら表示するカーオーディオ装置に関する。
【０００２】
【従来の技術】
例えばカーオーディオ装置の表示装置としては、楽曲などのオーディオ出力信号の各周波数帯のレベルを所定のサンプリング周波数でサンプリングすることにより、各周波数帯の音量レベルを所定周期毎に切り替えて表示する、いわゆるグラフィックイコライザが知られている。
【０００３】
【発明が解決しようとする課題】
しかしながら、従来のカーオーディオ装置では、車両の走行状態とは関係なく切り替え動作が行われて表示を行うので、ユーザにとって娯楽性に乏しいという問題点がある。
【０００４】
本発明は上記従来例の問題点に鑑み、車両の走行状態に連動した娯楽性に富んだ画面を表示することができるカーオーディオ装置を提供することを目的とする。
【０００５】
【課題を解決するための手段】
本発明は上記目的を達成するために、オーディオ出力状態を切り替えながら表示する表示手段と、
車両の加速度を検出する加速度検出手段と、
前記加速度検出手段により検出された加速度に応じて前記表示手段の画面の切り替え速度を変更する制御手段とを、
有する構成とした。
上記構成により、車両の加速度に応じてオーディオ出力状態の画面の切り替え速度を変更するので、車両の走行状態に連動した、あるいは走行状態と一体感のある娯楽性に富んだ画面を表示することができる。
【０００６】
また、前記制御手段は、前記加速度検出手段により検出された加速度が所定値以上の場合に、所定値以上でない場合よりオーディオ出力信号の各周波数帯のレベルを高いサンプリング周波数でサンプリングして各周波数帯の音量レベルを短い周期で切り替えて表示する構成とした。
上記構成により、車両の加速度が所定値以上の場合に、所定値以上でない場合よりオーディオ出力信号の各周波数帯のレベルを短い周期で切り替えて表示するので、車両の走行状態に連動した娯楽性に富んだ画面を表示することができる。
【０００７】
また、前記制御手段は、各周波数帯の音量レベルを短い周期で切り替えて表示する際に、オーディオ出力レベルを設定レベルより大きくしたり、高周波帯域のオーディオ出力レベルのみを設定レベルより大きくする構成とした。
上記構成により、車両の走行状態に連動した娯楽性に富んだ画面を表示することができるとともに、車両の加速度が所定値以上の場合に出力音声を聞きやすくすることができる。
【０００８】
【発明の実施の形態】
以下、図面を参照して本発明の実施の形態について説明する。図１は本発明に係るカーオーディオ装置の一実施の形態を示すブロック図、図２は図１の表示装置の画面の一例を示す説明図、図３は図１のマイコンの表示切り替え制御を説明するためのフローチャートである。
【０００９】
図１において、加速度センサ１は、例えば金属球が加速度により転がりだす現象を利用した簡易型センサであり、所定値以上の車両の加速度を検出すると加速度検出信号をマイコン２に出力する。マイコン２はオーディオ出力信号の各周波数帯のレベルをサンプリング周波数ｆｓでサンプリングすることにより、図２に示すように各周波数帯の音量レベルをサンプリング周波数ｆｓに応じた周期毎に切り替えて表示する表示データ（コマンド）を表示用ドライバ３に送る。表示用ドライバ３はマイコン２からの表示データに応じた表示画像をメモリ上に描画し、描画データを表示装置４に表示させる表示制御を行う。表示装置は、ビデオ信号入力型の液晶表示装置やＣＲＴでもよいし、ＬＥＤなどの発光素子を所定パターンに配列し、所定の入力信号に基づいて文字、数字、グラフなどを表示するものであってもよい。表示装置の構造にかかわらず、その表示部を便宜上「画面」という。
【００１０】
次に図３を参照してマイコン２の処理について説明する。まず、加速度センサ１からの加速度検出信号が入力（ＯＮ）されたか否かを判断し（ステップＳ１）、入力されていない場合にはオーディオ信号の各周波数帯のレベルを所定のサンプリング周波数ｆｓ０でサンプリングし、サンプリングした各周波数帯のレベルを表示用ドライバ３に送ることにより、所定のサンプリング周波数ｆｓ０に応じた通常の周期毎に各周波数帯のレベルを切り替えて表示装置４に表示させる（ステップＳ５）。
【００１１】
他方、ステップＳ１において加速度検出信号が入力された場合には、まずタイマをスタートし（ステップＳ２）、次いでサンプリング周波数ｆｓを高く（ｆｓ＞ｆｓ０）してそのサンプリング周波数ｆｓでオーディオ信号の各周波数帯のレベルをサンプリングし、サンプリングした各周波数帯のレベルを表示用ドライバ３に送ることにより、通常より短い周期毎に（すなわち通常より速く）各周波数帯のレベルを切り替えて表示装置４に表示させる（ステップＳ３）。なお、このとき、周囲の騒音が大きくなると聞こえにくくなるのでスピーカ（不図示）の出力レベルを設定レベルより大きくしたり、周囲の騒音が大きくなると特に聞こえにくくなる高域の出力レベルのみを設定レベルより大きくするようにしてもよい。
【００１２】
次いでタイマが所定時間を経過した（タイムアップ）か否かを判断し（ステップＳ４）、経過していない場合にはステップＳ３に戻って通常より短い周期毎に各周波数帯のレベルを切り替えて表示装置４に表示させる。他方、ステップＳ４においてタイマが所定時間を経過した場合にはステップＳ５に進み、サンプリング周波数ｆｓを元に戻して（ｆｓ＝ｆｓ０）通常の周期毎に各周波数帯のレベルを切り替えて表示装置４に表示させる。
【００１３】
したがって、上記実施の形態によれば、車両の加速度が所定値以上の場合に、所定値以上でない場合より高いサンプリング周波数ｆｓでオーディオ信号の各周波数帯のレベルをサンプリングし、通常より短い周期毎に各周波数帯のレベルを切り替えて表示装置４に表示させるので、車両の走行状態に連動した娯楽性に富んだ画面を表示することができる。また、加速度センサ１は、例えば金属球が加速度により転がりだす現象を利用した簡易型センサであるので、車両側から車速パルスを得て加速度を検出する構成より、複雑な処理や車速パルスを得るためのコードなどが不要であり、安価に構成することができる。
なお、ここでは、安価に構成するために簡易型センサを用いる構成としたが、加速度を検出するには、車速パルスを参照したり、ジャイロセンサなどを用いることを妨げるものではない。
【００１４】
【発明の効果】
以上説明したように本発明によれば、車両の走行状態に連動した娯楽性に富んだ画面を表示することができる。また、短い周期で切り替えて表示する際に、オーディオ出力レベルを設定レベルより大きくしたり、高周波帯域のオーディオ出力レベルを設定レベルより大きくすることにより、車両の加速度が所定値以上の場合に出力音声を聞きやすくすることができる。
【図面の簡単な説明】
【図１】本発明に係るカーオーディオ装置の一実施の形態を示すブロック図
【図２】図１の表示装置の画面の一例を示す説明図
【図３】図１のマイコンの表示切り替え制御を説明するためのフローチャート
【符号の説明】
１　加速度センサ
２　マイコン
３　表示用ドライバ
４　表示装置
【図１】
2004066862.tif 000003
【図２】
2004066862.tif 000004
【図３】
2004066862.tif 000005